(57)【特許請求の範囲】
【請求項１】
多種類の検眼用レンズの中から指定のレンズを選定して測定窓部に配置するレンズユニットを左眼用と右眼用に２つ有し、これら２つのレンズユニットを支持して被検眼者の左右の眼の配置関係に対応して互いの位置関係を移動調整する調整支持機構部を有する自覚式検眼器において、
前記調整支持機構部は、いずれか一方のレンズユニットを上下に移動する上下移動機構部と、前記レンズユニットの輻輳角度（あおり角度）を調整する輻輳調整機構部とを有し、
前記上下移動機構部は、外部に設けられた上下調整用回転調整ツマミの回転運動を上下移動に変換してレンズユニットを上下に移動する機構であり、
前記輻輳調整機構部は、外部に設けられた輻輳調整用回転調整ツマミの回転運動を輻輳移動に変換してレンズユニットの輻輳角度を調整する機構であり、
前記上下調整用回転調整ツマミ及び輻輳調整用回転調整ツマミは、前記調整支持機構部からそれぞれ外部に延長して形成された腕部の先端にそれぞれ回転自在に支持されており、これら腕部には前記回転調整ツマミの回転運動を前記調整支持機構部にそれぞれ伝達する伝達手段が設けられており、
前記上下調整用回転調整ツマミ及び輻輳調整用回転調整ツマミを回転自在に支持した腕部は、前記調整支持機構部の左右端部に対称的に設けられていることを特徴とする自覚式検眼器。
【発明の詳細な説明】
【０００１】
【発明の属する技術分野】
本発明は、レンズユニットの位置調整を手動で行うことができるようにして操作を簡便にして取り扱いやすくした自覚式検眼器に関する。
【０００２】
【従来の技術】
自覚式検眼器は、多種類の検眼用レンズの中から指定のレンズを選定して測定窓部に配置するレンズユニットを左眼用と右眼用に２つ有し、これら２つのレンズユニットを支持して被検眼者の左右の眼の配置関係に対応して互いの位置関係を移動調整する調整支持機構部を有するものである。この自覚式検眼器としては、例えば特開平５ー１７６８９６号公報に記載されている方式のものがよく知られている。この方式のものは、左右のレンズユニットの位置調整を全てステッピングモータ等を用いて自動的に行うものである。
【０００３】
【発明が解決しようとする課題】
ところが、上記全自動式のものは、手動操作が必要ないという意味では一見操作性がよいようにみえるが、操作を行うには全てメインコントロール装置の入力部等を通じて入力操作によって行う必要があるので、場合によってはかえって操作が煩わしいこともある。また、多数のステッピングモータを用いたり、複雑な制御プログラムが必要となる等、コストの面でも不利である。
【０００４】
本発明は、上述した背景のもとでなされたものであり、レンズユニットの位置調整を手動で行うことができるようにして操作を簡便にして取り扱いやすくした自覚式検眼器を提供することを目的とする。
【０００５】
上記課題を解決するために、
請求項１の発明は、
多種類の検眼用レンズの中から指定のレンズを選定して測定窓部に配置するレンズユニットを左眼用と右眼用に２つ有し、これら２つのレンズユニットを支持して被検眼者の左右の眼の配置関係に対応して互いの位置関係を移動調整する調整支持機構部を有する自覚式検眼器において、
前記調整支持機構部は、いずれか一方のレンズユニットを上下に移動する上下移動機構部と、前記レンズユニットの輻輳角度（あおり角度）を調整する輻輳調整機構部とを有し、前記上下移動機構部は、外部に設けられた上下調整用回転調整ツマミの回転運動を上下移動に変換してレンズユニットを上下に移動する機構であり、前記輻輳調整機構部は、外部に設けられた輻輳調整用回転調整ツマミの回転運動を輻輳移動に変換してレンズユニットの輻輳角度を調整する機構であり、前記上下調整用回転調整ツマミ及び輻輳調整用回転調整ツマミは、前記調整支持機構部からそれぞれ外部に延長して形成された腕部の先端にそれぞれ回転自在に支持されており、これら腕部には前記回転調整ツマミの回転運動を前記調整支持機構部にそれぞれ伝達する伝達手段が設けられており、前記上下調整用回転調整ツマミ及び輻輳調整用回転調整ツマミを回転自在に支持した腕部は、前記調整支持機構部の左右端部に対称的に設けられていることを特徴とする自覚式検眼器である。
【０００８】
【実施の形態】
図１は本発明の実施例にかかる自覚式検眼器における調整支持機構部の分解斜視図、図２は調整支持機構部の略水平面での切断面図、図３は調整支持機構部の略垂直面での切断面図、図４は検眼器の外観斜視図、図５は検眼装置の全体構成を示す斜視図である。以下、これらの図面を参照にしながら、実施例にかかる自覚式検眼器を説明する。
【０００９】
図５に示されるように、自覚式検眼器１は、検眼テーブル１００に取り付けられた支柱１０１の先端部である支柱アーム部１０２に結合軸１５（図３参照）によって支持されている。この結合軸１５の下端には調整支持機構部２が固定され、この調整支持機構部２には、左眼用レンズユニット１ａ及び右眼用レンズユニット１ｂがそれぞれ位置調整可能に支持されている。調整支持機構部２は、左眼用レンズユニット１ａ及び右眼用レンズユニット１ｂの左右の距離（ＰＤ）を自動的に調整するとともに、上下調整ツマミ１２及び輻輳調整（あおり調整）ツマミ１３をそれぞれ回転調整することによって２つのレンズユニットの相対的上下位置及び輻輳角度の調整を手動で行う機構を有するものである。なお、左眼用レンズユニット１ａ及び右眼用レンズユニット１ｂは、それぞれ多数の検眼用レンズを自在に選定して被検眼者の眼が配置される測定窓１０ａ，１０ｂに配置するものである。
【００１０】
以下、図１ないし図３を参照にしながら調整支持機構部２を説明する。この調整支持機器部２は、要するに、図１の下方に配置されている左眼レンズユニット支持体２１０及び右眼レンズユニット支持体２２０に対して左右（ＰＤ）・上下・あおり（輻輳）調整を行うことにより、これらに固定された左右レンズユニット１ａ，１ｂの左右（ＰＤ；瞳孔間距離）・上下・輻輳（あおり）調整して、測定窓１０ａ，１０ｂを被検眼者の眼の配置に適合させるものである。
【００１１】
上下移動機構は、左眼にのみ設けられており、上下調整ツマミ２１を手動回転調整することによって左眼レンズユニット支持板２１０を上下させてレンズユニット１ａを上下させる機構である。レンズユニット支持板２１０は上下移動軸２１５に取り付けられている。この上下移動軸２１５は左右に移動自在で上下に対しては固定されている左ＰＤ移動体２２０ａに捩子結合されている。したがって上下移動軸２１５を回転することで左眼レンズユニット支持板２１０が上下する。ここで、上下移動軸２１５には、ベルト２１４、傘歯歯車２１３，２１４、伝達軸２１１ａ及びベルト２１１を通じて上下調整ツマミ２１からの運動が伝達される。なお、上下調整ツマミ２１及びベルト２１１は腕部２ａに設けられている。
【００１２】
輻輳調整機構は、輻輳調整（あおり調整）ツマミ２１を手動回転調整することによって左眼用の輻輳調整棒２２９及び右眼用の輻輳調整棒２２６を同時に回動させて左眼レンズユニット支持板２１０及び左眼レンズユニット支持板２２０を同時に回転調整する機構である。輻輳調整棒２２９及び右眼用の輻輳調整棒２２６はそれぞれその回転軸のまわりに回転して回動し、それぞれの回転軸にはウォームホイール２２８及び２２５が設けられており、これらに同時に連動軸２２３に設けられたウォーム２２７及び２２４によって回転運動が伝達される。そして、この連動軸２２３には、ベルト２２２、伝達軸２２１ａ及びベルト２２１を介して輻輳調整（あおり調整）ツマミ２２からの運動が伝達される。なお、輻輳調整ツマミ２２及びベルト２２１は腕部２ｂに設けられている。
【００１３】
左右位置（ＰＤ；瞳孔間距離）調整機構は、左ＰＤ移動体２２０ａ及び右ＰＤ移動体２２０ｂがそれぞれＰＤ移動軸２０６及び２０２によって左右に移動される。すなわち、ＰＤ移動軸２０６及び２０２はそれぞれ左ＰＤ移動体２２０ａ及び右ＰＤ移動体２２０ｂに捩子結合されており、該軸を固定軸受２０５及び２０３に回転自在に支持して回転するとそれぞれ左ＰＤ移動体２２０ａ及び右ＰＤ移動体２２０ｂが左右に移動するものである。なお、ＰＤ移動軸２０６及び２０２はそれぞれステッピングモータ２０４及び２０１によって回転駆動され、これらステッピングモータは所定の制御プログラム等によって自動的に制御される。
【００１４】
上述の実施例によれば、レンズユニット１ａ，１ｂの輻輳調整及び上下位置調整を自覚式検眼器１の前面部に延長した腕部２ａ，２ｂの先端にある調整ツマミ２１，２２を回転調整することによって行うことができる。これによれば、オペレータが被検眼者の眼の位置を近くで確認しながら上下及びあおり角度の調整を行うことができるので、無駄な動作を省いて迅速に正確な調整を極めて操作性よく行うことができる。しかも、多数のステッピングモータや制御プラグラム等を必要とする自動調整機構を設ける場合に比較して製造コストを大巾に節減することができる。
【００１５】
【発明の効果】
以上詳述したように、本発明は、上下移動機構部を外部に設けられた上下調整用手動回転調整ツマミの回転運動を上下移動に変換してレンズユニットを上下に移動する機構で構成し、輻輳調整機構部を外部に設けられた輻輳調整用手動回転調整ツマミの回転運動を輻輳移動に変換してレンズユニットの輻輳角度を調整する機構で構成したことにより、レンズユニットの位置調整を手動で行うことができるようにして操作を簡便にして取り扱いやすくした自覚式検眼器を得ているものである。
【図面の簡単な説明】
【図１】本発明の実施例にかかる自覚式検眼器における調整支持機構部の分解斜視図である。
【図２】調整支持機構部の略水平面での切断面図である。
【図３】調整支持機構部の略垂直面での切断面図である。
【図４】自覚式検眼器の外観斜視図である。
【図５】検眼装置の全体構成を示す斜視図である。
【符号の説明】
１…自覚式検眼器
２…調整支持機構部
２１…上下調整ツマミ
２２…あおり（輻輳）調整ツマミ
２１５…上下移動軸
２２０，２２９…輻輳調整棒
２２０ａ…左ＰＤ移動体
２２０ｂ…右ＰＤ移動体
【図１】
0003682894.tif 000002
【図２】
0003682894.tif 000003
【図３】
0003682894.tif 000004
【図４】
0003682894.tif 000005
【図５】
0003682894.tif 000006